(57)【要約】【課題】損傷を未然に防止し得るようにする。【解決手段】一時保留部１５は、外テープ３０及び内テープ４０の始端部及び終端部それぞれに遮光領域ＳＡを形成し、光検出部３５により外テープ３０及び内テープ４０とそれぞれ交差した検出光Ｌ１の受光結果に応じた受光信号Ｓ１を生成する。そして制御部２１は、受光信号Ｓ１が「暗」レベルになったとき、ドラム２３の回転方向を基に、対応テーブルＴＢＬ１を参照して外テープ３０及び内テープ４０の少なくとも一方が始端部及び終端部のいずれに到達したかを判別した上で、巻付処理又は巻戻処理を中止することができる。これにより一時保留部１５は、外テープ３０及び内テープ４０に過大な張力を加えることによる破損や、これに伴い周囲の各部品を損傷させることを未然に防止することができる。【選択図】図３
2014021517.tif 000002
【特許請求の範囲】
【請求項１】
回転可能であり紙葉状の媒体を周側面に巻き付けるドラムと、
回転可能な第１リール及び第２リールと、
長手方向の一端が上記第１リールに巻き付けられると共に他端が上記ドラムの周側面に巻き付けられる第１テープと、
長手方向の一端が上記第２リールに巻き付けられると共に他端が上記ドラムの周側面における上記第１テープよりも外周側に巻き付けられ、上記ドラムの回転に伴い、上記媒体を上記第１テープとの間に挟んで上記ドラムの周側面に巻き付ける第２テープと、
上記第１テープ及び上記第２テープそれぞれの一端近傍及び他端近傍にそれぞれ設けられ、当該第１テープ及び第２テープにおける他の部分と光学特性が相違する相違部と、
上記第１テープ及び第２テープの光学特性を基に、当該第１テープ及び第２テープの少なくとも一方における上記相違部を検出する光検出部と、
上記第１リール及び上記第２リールからの上記第１テープ及び上記第２テープの引出量又はその増減傾向を検出する引出量検出部と、
上記光検出部により上記相違部を検出した場合、上記引出量又はその増減傾向の検出結果を基に当該相違部が上記第１テープ及び上記第２テープの一端又は他端のいずれであるかを判別する判別部と
を具えることを特徴とする媒体処理装置。
【請求項２】
上記光検出部は、
光を発光する発光素子と、
上記発光部により発光され、上記第１テープの走行経路及び上記第２テープの走行経路のいずれとも交差する光路を通った上記光を受光する受光素子と
を具えることを特徴とする請求項１に記載の媒体処理装置。
【請求項３】
回転可能な第３リール及び第４リールと、
長手方向の一端が上記第３リールに巻き付けられると共に他端が上記ドラムの周側面における上記第１テープと異なる箇所に巻き付けられる第３テープと、
長手方向の一端が上記第４リールに巻き付けられると共に他端が上記ドラムの周側面における上記第４テープよりも外周側に巻き付けられ、上記ドラムの回転に伴い、上記媒体を上記第３テープとの間に挟んで上記ドラムの周側面に巻き付ける第４テープと
をさらに具え、
上記相違部は、
上記第１テープ及び上記第２テープに加えて上記第３テープ及び上記第４テープそれぞれの一端近傍及び他端近傍にそれぞれ設けられ、
上記光検出部は、
上記第１テープ、第２テープ、第３テープ及び第４テープの光学特性を基に、当該第１テープ、第２テープ、第３テープ及び第４テープの少なくとも１本における上記相違部を検出し、
上記判別部は、
上記光検出部により上記相違部を検出した場合、上記引出量又はその増減傾向の検出結果を基に当該相違部が上記第１テープ、上記第２テープ、上記第３テープ及び上記第４テープの一端又は他端のいずれであるかを判別する
ことを特徴とする請求項１に記載の媒体処理装置。
【請求項４】
上記光検出部は、
光を発光する発光素子と、
上記発光部により発光され、上記第１テープの走行経路、上記第２テープの走行経路、上記第３テープの走行経路及び上記第４テープの走行経路のいずれとも交差する光路を通った上記光を受光する受光素子と
を具えることを特徴とする請求項３に記載の媒体処理装置。
【請求項５】
上記光検出部は、
上記発光素子から発光された上記光を反射する反射素子
をさらに具えることを特徴とする請求項４に記載の媒体処理装置。
【請求項６】
上記引出量検出部は、
上記ドラムの回転方向を検出し、当該回転方向を基に、上記第１リール及び上記第２リールからの上記第１テープ及び上記第２テープの引出量の増減傾向を検出する
ことを特徴とする請求項１に記載の媒体処理装置。
【請求項７】
上記引出量検出部は、
上記ドラムに回転駆動力を伝達するモータに与えられる制御命令を基に、上記ドラムの回転方向を検出する
ことを特徴とする請求項６に記載の媒体処理装置。
【請求項８】
上記ドラムは、
周側面に巻き付ける上記媒体同士の間隔を同等に保つよう回転速度が制御され、
上記引出量検出部は、
上記ドラムの回転速度を検出し、当該回転速度を基に、上記第１リール及び上記第２リールからの上記第１テープ及び上記第２テープの引出量を検出する
ことを特徴とする請求項１に記載の媒体処理装置。
【発明の詳細な説明】
【技術分野】
【０００１】
本発明は、媒体処理装置に関し、例えば紙幣等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する紙幣カセットとを有するものが提案されている。
【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、顧客により入金金額が確定されると、一時保留部に保留した紙幣の金種を鑑別部により再鑑別し、鑑別された金種に応じて各紙幣カセットへ収納する。
【０００５】
一時保留部としては、例えば回転する円筒状のドラム及び２本の長いテープを有し、各テープの一端をドラムの周側面に重ねるように固定したものが提案されている（例えば、特許文献１参照）。
【０００６】
例えば従来の一時保留部３１５は、図１６（Ａ）及び（Ｂ）に平面図及び側面図を示すように、円筒状のドラム２３と、透明な樹脂材料により構成された外テープ３３０及び内テープ３４０と、これらをそれぞれ巻回した外リール３１及び内リール４１等とを有している。この外テープ３３０及び内テープ３４０は、終端部が外リール３１及び内リール４１にそれぞれ固定され、始端部がいずれもドラム２３の周側面に互いに重なるように固定されている。
【０００７】
このため一時保留部３１５では、巻付処理として、外テープ３３０及び内テープ３４０の間に紙幣を挟んだ状態でドラム２３を巻付方向Ｒ１へ回転させることにより、紙幣を外テープ３３０及び内テープ３４０と共にドラム２３の周側面に巻き付けることができる。
【０００８】
また一時保留部３１５では、巻戻処理として、外リール３１及び内リール４１に外テープ３３０及び内テープ３４０をそれぞれ巻き取りながらドラム２３を巻戻方向Ｒ２へ回転させることにより、紙幣を順次排出することができる。
【０００９】
また図１７に示すように、外テープ３３０の始端部（ドラム側）と内テープ３４０の終端部（リール側）には、光を遮断する遮光領域ＳＡがそれぞれ形成されている。一時保留部３１５（図１６）は、検出光を照射すると共に受光する光検出部３３５及び３４５により、透明部分に対応する「明」レベル又は遮光領域ＳＡに対応する「暗」レベルの受光信号を生成する。
【００１０】
そして一時保留部３１５は、巻付処理中に光検出部３４５から取得した受光信号が「暗」レベルとなれば、各テープを各リールから終端部分まで引き出したものと判断し、巻付処理を終了する。また一時保留部３１５は、巻戻処理中に光検出部３３５から取得した受光信号が「暗」レベルとなれば、各テープを始端部分まで各リールに巻き取ったものと判断し、巻戻処理を終了する。
【００１１】
これにより一時保留部３１５は、各リールとドラム２３との間で過大な張力が加わることによる外テープ３３０及び内テープ３４０の損傷や、関連する部材への過大な力の印加等を防止でき、正常な稼働を継続することができる。
【先行技術文献】
【特許文献】
【００１２】
【特許文献１】特開２０１０−６４９４公報（第１図、第２図）
【発明の概要】
【発明が解決しようとする課題】
【００１３】
ところで一時保留部３１５では、例えば折り癖や皺を有する紙幣を巻き付けた際に、当該紙幣が周囲の部材と接触する等の要因により、紙幣の引っかかりや詰まり等を生じ、当該紙幣と共に各テープが絡まってしまう場合がある。
【００１４】
このような場合、一時保留部３１５では、保守作業員による応急措置として、各テープのうち絡まった部分を切断して正常な部分同士を繋ぎ直す作業、いわば各テープを切り詰める作業が行われることがある。
【００１５】
ここで、例えば外テープ３３０のみが切り詰められた状態で、ドラム２３に大量の紙幣を順次巻き付けていくと、当該外テープ３３０が外リール３１から全て引き出されて終端部分に達する一方、内テープ３４０の一部が未だ内リール４１に巻き付けられており、終端部分に達しないことになる。
【００１６】
このとき一時保留部３１５では、光検出部３４５から取得した受光信号が「明」レベルのままであるため、各テープが未だ終端部分に達していないと判断し、巻付処理を継続しようとしてしまう。この結果、一時保留部３１５は、外リール３１とドラム２３との間で過大な張力が加わることによる外テープ３３０の損傷や、周囲の部材への過大な力の印加による破損等を招き、正常に稼働できなくなる恐れがある、という問題があった。
【００１７】
本発明は以上の点を考慮してなされたもので、損傷を未然に防止し得る媒体処理装置を提案しようとするものである。
【課題を解決するための手段】
【００１８】
かかる課題を解決するため本発明の媒体処理装置においては、回転可能であり紙葉状の媒体を周側面に巻き付けるドラムと、回転可能な第１リール及び第２リールと、長手方向の一端が第１リールに巻き付けられると共に他端がドラムの周側面に巻き付けられる第１テープと、長手方向の一端が第２リールに巻き付けられると共に他端がドラムの周側面における第１テープよりも外周側に巻き付けられ、ドラムの回転に伴い、外部から供給される媒体を第１テープとの間に挟んでドラムの周側面に巻き付ける第２テープと、第１テープ及び第２テープそれぞれの一端近傍及び他端近傍にそれぞれ設けられ、当該第１テープ及び第２テープにおける他の部分と光学特性が相違する相違部と、第１テープ及び第２テープの光学特性を基に、当該第１テープ及び第２テープの少なくとも一方における相違部を検出する光検出部と、第１リール及び第２リールからの第１テープ及び第２テープの引出量又はその増減傾向を検出する引出量検出部と、光検出部により相違部を検出した場合、引出量又はその増減傾向の検出結果を基に当該相違部が第１テープ及び第２テープの一端又は他端のいずれであるかを判別する判別部とを設けるようにした。
【００１９】
これにより、第１テープ及び第２テープの少なくとも一方における相違部を光検出部により検出した時点で、第１リール及び第２リールからの第１テープ及び第２テープの引出量又はその増減傾向を基に、始端部に到達したこと又は終端部に到達したことを正しく判別できるので、適切なタイミングで巻付処理又は巻戻処理を停止させることができる。
【発明の効果】
【００２０】
本発明によれば、第１テープ及び第２テープの少なくとも一方における相違部を光検出部により検出した時点で、第１リール及び第２リールからの第１テープ及び第２テープの引出量又はその増減傾向を基に、始端部に到達したこと又は終端部に到達したことを正しく判別できるので、適切なタイミングで巻付処理又は巻戻処理を停止させることができる。かくして本発明は、損傷を未然に防止し得る媒体処理装置を実現できる。
【図面の簡単な説明】
【００２１】
【図１】現金自動預払機の構成を示す略線的斜視図である。
【図２】紙幣入出金機の構成を示す略線図である。
【図３】第１の実施の形態による一時保留部の構成を示す略線図である。
【図４】第１の実施の形態によるテープの構成を示す略線図である。
【図５】ドラムの回転方向とテープの位置との対応関係を示す略線図である。
【図６】第２の実施の形態による一時保留部の構成を示す略線図である。
【図７】第２の実施の形態による光検出部の構成を示す略線図である。
【図８】第２の実施の形態による回転速度検出部の構成を示す略線図である。
【図９】第２の実施の形態による受光信号を示す略線的波形図である。
【図１０】周期の長さとテープの位置との対応関係を示す略線図である。
【図１１】第３の実施の形態による一時保留部の構成を示す略線図である。
【図１２】第３の実施の形態による回転方向検出部の構成を示す略線図である。
【図１３】遮断領域及び通過領域の構成を示す略線図である。
【図１４】第３の実施の形態による受光信号を示す略線的波形図である。
【図１５】パルスの出現順序とドラムの回転方向とテープの位置との対応関係を示す略線図である。
【図１６】従来の一時保留部の構成を示す略線図である。
【図１７】従来のテープの構成を示す略線図である。
【発明を実施するための形態】
【００２２】
以下、発明を実施するための形態（以下実施の形態とする）について、図面を用いて説明する。
【００２３】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２４】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００２５】
接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２６】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２７】
入出金口５は、顧客が入金する紙幣が投入されると共に、顧客へ出金する紙幣が排出される部分である。また入出金口５は、シャッタを駆動することにより開放又は閉塞するようになされている。因みに紙幣は、例えば長方形の紙で構成されている。
【００２８】
操作表示部６は、取引に際して操作画面を表示するＬＣＤ（Liquid Crystal Display）と、取引の種類の選択、暗証番号や取引金額等を入力するタッチパネルとが一体化されている。
【００２９】
テンキー７は、「０」〜「９」の数字等の入力を受け付ける物理キーであり、暗証番号や取引金額等の入力操作時に用いられるようになされている。
【００３０】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００３１】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００３２】
筐体２内には、現金自動預払機１全体を統括制御する主制御部９や、紙幣に関する種々の処理を行う紙幣入出金機１０等が設けられている。
【００３３】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３４】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００３５】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣を保護する。一方筐体２は、作業者等が保守作業を行う保守作業時には、必要に応じて各扉を開放することにより、内部の各部に対する作業を容易に行わせ得るようになされている。
【００３６】
紙幣入出金機１０は、図２に側面図を示すように、紙幣に関する種々の処理を行う複数の部分が組み合わされた構成となっている。また紙幣入出金機１０の各部分は、紙幣制御部１１により制御されるようになされている。
【００３７】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理等、種々の処理を行うようになされている。
【００３８】
また紙幣制御部１１は、内部にＲＡＭ及びフラッシュメモリ等でなる記憶部１１Ａ（図１）を有しており、この記憶部１１Ａに種々の情報を記憶させるようになされている。
【００３９】
紙幣制御部１１は、例えば顧客が紙幣を入金する入金取引を行う場合、操作表示部６を介して所定の操作入力を受け付けた後、入出金口５のシャッタを開いて入出金部１２内へ紙幣を投入させる。
【００４０】
入出金部１２は、収容器１２Ａに紙幣が投入されると、入出金口５のシャッタを閉じて当該収容器１２Ａから紙幣を１枚ずつ取り出し、搬送部１３へ受け渡す。搬送部１３は、長方形の紙葉状に構成された紙幣を短辺方向に沿って進行させ、鑑別部１４へ搬送する。
【００４１】
鑑別部１４は、その内部で紙幣を搬送しながら、光学素子や磁気検出素子等を用いて当該紙幣の金種及び真偽、並びに損傷の程度等を鑑別し、その鑑別結果を紙幣制御部１１へ通知する。これに応じて紙幣制御部１１は、取得した鑑別結果に基づいていて当該紙幣の搬送先を決定する。
【００４２】
このとき搬送部１３は、鑑別部１４において正常紙幣と鑑別された紙幣を一時保留部１５へ搬送する等して一時的に保留させる一方、取引すべきでないと鑑別されたリジェクト紙幣を入出金部１２へ搬送して顧客に返却する。
【００４３】
その後紙幣制御部１１は、操作表示部６を介して顧客に入金金額を確定させ、一時保留部１５に保留している紙幣を搬送部１３により鑑別部１４へ搬送してその金種及び損傷の程度等を鑑別させ、その鑑別結果を取得する。
【００４４】
そして紙幣制御部１１は、紙幣の損傷の程度が大きければ、これを再利用すべきでない紙幣として搬送部１３によりリジェクトカセット１６へ搬送して収納させ、損傷の程度が小さければ、これを再利用すべき紙幣として搬送部１３により搬送させ、その金種に応じた紙幣カセット１７に収納させるようになされている。
【００４５】
［１−２．一時保留部の構成］
一時保留部１５は、図３（Ａ）及び（Ｂ）に示すように、フレーム２０に各部品が取り付けられた構成となっている。
【００４６】
因みに図３（Ａ）及び（Ｂ）は、一時保留部１５の平面図（上面図）及び左側面図をそれぞれ模式的に表したものであり、説明の都合上、モータやギヤ等といった一部の部品を省略している。
【００４７】
一時保留部１５は、制御部２１により全体を制御するようになされている。制御部２１は、主制御部９や紙幣制御部１１（図１）と同様、図示しないＣＰＵを中心に構成されており、当該紙幣制御部１１等と連携しながら、図示しないＲＯＭやフラッシュメモリ等から所定のプログラムを読み出して実行することにより、ドラムの回転やテープの走行に関する制御等、種々の処理を行うようになされている。
【００４８】
また制御部２１は、内部にＲＡＭ及びフラッシュメモリ等でなる記憶部を有しており、この記憶部に種々の情報を記憶させるようになされている。
【００４９】
一時保留部１５のフレーム２０内における中央付近には、中心軸を左右方向に向けた円筒状のドラム２３が設けられている。ドラム２３は、左右方向に沿った回転軸２３Ｘを中心に巻付方向Ｒ１又は巻戻方向Ｒ２へ回転し得るように取り付けられると共に、制御部２１の制御に基づき、図示しないモータからの駆動力が図示しないギヤ等を介して伝達されるようになされている。
【００５０】
すなわちドラム２３は、制御部２１の制御に従い、巻付方向Ｒ１又は巻戻方向Ｒ２へ回転するようになされている。
【００５１】
一時保留部１５内には、外テープ３０及び内テープ４０の２本のテープを走行させるテープ走行系２７が設けられている。
【００５２】
外テープ３０及び内テープ４０は、いずれも光の透過性が高い樹脂材料により、薄いフィルム状に形成されている。また外テープ３０及び内テープ４０は、いずれも長手方向の長さが例えば３０［ｍ］のように十分に長い一方、短手方向の長さ（すなわちテープ幅）が例えば２０［ｍｍ］のように紙幣の長辺よりも十分に短くなっている。
【００５３】
また外テープ３０及び内テープ４０は、図４に示すように、全体的に透明に構成されているものの、ドラム２３に固定される始端側の部分（以下これを始端部と呼ぶ）と、外リール３１又は内リール４１に固定される終端側の部分（以下これを終端部と呼ぶ）とに、光を遮断する遮光領域ＳＡがそれぞれ形成されている。
【００５４】
以下、説明の都合上、外テープ３０及び内テープ４０における始端部及び終端部に挟まれた中間の部分を中間部と呼び、この中間部における透明な領域を透過領域ＳＴと呼ぶ。
【００５５】
外リール３１（図３）は、糸巻き状に構成されており、ドラム２３の後方における上側に、当該ドラム２３の回転軸２３Ｘと平行な回転軸３１Ｘを中心に回転するように設けられている。この外リール３１には、外テープ３０の一端としての終端が周側面に固定された上で、当該外テープ３０が巻回されている。
【００５６】
ドラム２３の前側には、プーリ３３及び３４が設けられている。プーリ３３及び３４は、いずれも中心軸を左右方向に向けた円柱状に形成されており、ドラム２３の回転軸２３Ｘと平行な回転軸３３Ｘ及び３４Ｘを中心にそれぞれ自在に回転し得るようになされている。
【００５７】
外リール３１に巻回された外テープ３０は、その他端としての始端が当該外リール３１の最外周から前下方へ引き出され、プーリ３３及び３４を順次介して後方向へ折り返されるよう引き回されてから、ドラム２３の周側面に固定されている。
【００５８】
因みに外リール３１は、図示しないテンションスプリングにより、外テープ３０を巻き取る方向へ付勢されており、当該外テープ３０に対し常に所定の張力を持たせるようになされている。
【００５９】
一方、内リール４１は、外リール３１と同様の糸巻き状に構成されており、当該外リール３１の下方、すなわちドラム２３の後方における下側に、ドラム２３の回転軸２３Ｘと平行な回転軸４１Ｘを中心に回転し得るように設けられている。この内リール４１には、内テープ４０の一端としての終端が周側面に固定された上で、当該内テープ４０が巻回されている。
【００６０】
因みに内リール４１における内テープ４０の巻回方向は、外リール３１における外テープ３０の巻回方向と反対になっている。
【００６１】
ドラム２３の下方には、プーリ４３が設けられている。またドラム２３の前方には、プーリ４４が設けられている。
【００６２】
プーリ４３及び４４は、プーリ３３及び３４と同様の中心軸を左右方向に向けた円柱状に形成されており、ドラム２３の回転軸２３Ｘと平行な回転軸４３Ｘ及び４４Ｘを中心に自在に回転し得るようになされている。
【００６３】
内リール４１に巻回された内テープ４０は、その他端としての始端が内リール４１の最外周から前上方へ引き出され、プーリ４３を介して前斜め上方向へ向けられ、さらにプーリ４４を介して後方向へ折り返され、外テープ３０の真下を通るよう引き回されてから、ドラム２３の周側面に固定されている。
【００６４】
因みに内リール４１は、外リール３１と同様、図示しないテンションスプリングにより、内テープ４０を巻き取る方向へ付勢されており、当該内テープ４０に対し常に所定の張力を持たせるようになされている。
【００６５】
かかる構成により一時保留部１５は、ドラム２３を巻付方向Ｒ１へ回転させると、その周側面に内テープ４０及び外テープ３０を重ねるようにして巻き付けていく。
【００６６】
このとき一時保留部１５は、内テープ４０及び外テープ３０の間に紙幣を挟んでいれば、当該内テープ４０及び外テープ３０と共に当該紙幣をドラム２３の周側面に巻き付けることができる。
【００６７】
因みに図３（Ｂ）では、ドラム２３に紙幣を巻き付けておらず、外テープ３０及び内テープ４０の大部分を外リール３１及び内リール４１にそれぞれ巻き付けた状態を実線により表している。また図３（Ｂ）では、ドラム２３に大量の紙幣を巻き付け、外テープ３０及び内テープ４０の大部分もドラム２３に巻き付けた状態を破線により表している。
【００６８】
なおリール４４は、図示しない可動機構により、ドラム２３の周側面に巻き付けられた紙幣の最外周部分と連動して移動するようになされている。
【００６９】
ところで一時保留部１５は、巻付処理において、ドラム２３の周側面に巻き付けられる紙幣同士の間隔をほぼ一定に保つことが望ましく、巻戻処理において、一時保留部１５から搬送部１３（図２）へ紙幣をほぼ等間隔で受け渡すことが望ましい。
【００７０】
このため制御部２１は、巻付処理及び巻戻処理のいずれにおいても、外テープ３０及び内テープ４０の走行速度をほぼ一定に保つよう、ドラム２３の回転速度を制御するようになされている。
【００７１】
このように一時保留部１５は、２本のテープ（外テープ３０及び内テープ４０）を走行させることにより、紙幣をドラム２３の周側面に巻き付けるようになされている。
【００７２】
さらにテープ走行系２７には、光検出部３５が配置されている。この光検出部３５は、検出光Ｌ１を発光する発光素子３６と、当該検出光Ｌ１を受光する受光素子３７とにより構成されている。
【００７３】
発光素子３６は、外リール３１とプーリ３３との間における外リール３１の近傍であって外テープ３０よりも上側に配置されており、下方向へ向けて検出光Ｌ１を発光するようになされている。
【００７４】
発光素子３６から発光された検出光Ｌ１は、他の部品等に遮られることなく、外テープ３０の走行経路及び内テープ４０の走行経路と順次交差しながら下方へ進行する。以下、外テープ３０及び内テープ４０における検出光Ｌ１の光路と交差する箇所を、それぞれ外テープ検出点３０Ｐ及び内テープ検出点４０Ｐと呼ぶ。
【００７５】
受光素子３７は、内リール４１とプーリ４３との間における内リール４１の近傍であって内テープ４０よりも下側に配置されており、上側から下方向へ向けて進行してくる検出光Ｌ１を受光するようになされている。
【００７６】
すなわち、発光素子３６と受光素子３７とを直線的に結ぶ検出光Ｌ１の光路上には、外テープ３０及び内テープ４０のみが配置されており、当該検出光Ｌ１を遮断するような他の部品等は何ら配置されていない。
【００７７】
そして受光素子３７は、受光した検出光Ｌ１の光量（明るさ）に応じた受光信号Ｓ１を生成し、これを制御部２１へ送出するようになされている。
【００７８】
すなわち光検出部３５は、外テープ３０及び内テープ４０による検出光Ｌ１を透過する割合に応じた受光信号Ｓ１を生成し、これを制御部２１へ送出するようになされている。
【００７９】
このように一時保留部１５は、外テープ３０及び内テープ４０と共に紙幣をドラム２３の周側面に巻き付けると共に、当該外テープ３０及び内テープ４０の双方とそれぞれ交差するように光検出部３５の検出光Ｌ１を進行させるようになされている。
【００８０】
［１−３．始端部及び終端部の検出］
次に、一時保留部１５による各テープ（すなわち外テープ３０及び内テープ４０）における始端部又は終端部の検出について説明する。
【００８１】
まず制御部２１は、受光素子３７から取得した受光信号Ｓ１が所定の閾値以上であれば「明」レベルと判別し、当該しきい値未満であれば「暗」レベルと判別する。
【００８２】
このとき制御部２１において得られた判別結果は、各検出点Ｐ（すなわち外テープ検出点３０Ｐ及び内テープ検出点４０Ｐ）における合計の光透過率を、「明」レベル又は「暗」レベルに２値化した値を表すことになる。
【００８３】
ここで受光信号Ｓ１の信号レベルは、各検出点Ｐのいずれもが透過領域ＳＴであれば「明」レベルとなり、各検出点Ｐの少なくとも一方が遮光領域ＳＡであれば「暗」レベルとなる。
【００８４】
すなわち受光信号Ｓ１が「明」レベルであれば、このことは、各検出点Ｐがいずれも透過領域ＳＴであり、各テープの始端部及び終端部のいずれでもない中間部が位置していることを表す。
【００８５】
また受光信号Ｓ１が「暗」レベルであれば、このことは、各検出点Ｐの少なくとも一方が遮光領域ＳＡであり、各テープの始端部又は終端部のいずれかが位置していることを表す。
【００８６】
このように制御部２１は、光検出部３５から得られる受光信号Ｓ１の信号レベルを基に、各検出点Ｐのいずれも中間部であるか、或いは少なくとも一方が始端部若しくは終端部であるかを判別することができる。
【００８７】
ところで制御部２１は、上述したように、図示しないモータを制御することによりドラム２３を巻付方向Ｒ１又は巻戻方向Ｒ２へ回転させている。このため制御部２１は、モータに供給する制御信号等を参照することにより、その時点におけるドラム２３の回転方向が巻付方向Ｒ１又は巻戻方向Ｒ２のいずれであるかを認識することができる。
【００８８】
ここで一時保留部１５では、巻付処理中でありドラム２３が巻付方向Ｒ１に回転していれば、各テープが各リール（すなわち外リール３１及び内リール４１）から引き出されてドラム２３へ向かう方向へ走行する。
【００８９】
この巻付処理中、各リールからの各テープの引出量は、徐々に増加していくことになる。またこの巻付処理中、各検出点Ｐはいずれも中間部であるため、受光信号Ｓ１は「明」レベルとなる。
【００９０】
その後受光信号Ｓ１が「暗」レベルになれば、このことは外テープ３０及び内テープ４０のうち少なくとも一方の終端部に形成された遮光領域ＳＡが検出光Ｌ１と交差したこと、すなわち各検出点Ｐのうち少なくとも一方が中間部から終端部に変化したことを意味する。
【００９１】
また一時保留部１５では、巻戻処理中でありドラム２３が巻戻方向Ｒ２に回転していれば、各テープがドラム２３から巻き戻されて各リールへ向かう方向へ走行する。
【００９２】
この巻戻処理中、各リールからの各テープの引出量は、徐々に減少していくことになる。またこの巻戻処理中、各検出点Ｐはいずれも中間部であるため、受光信号Ｓ１は「明」レベルとなる。
【００９３】
その後受光信号Ｓ１が「暗」レベルになれば、このことは各テープのうち少なくとも一方の始端部に形成された遮光領域ＳＡが検出光Ｌ１と交差したこと、すなわち各検出点Ｐのうち少なくとも一方が中間部から始端部に変化したことを意味する。
【００９４】
このように一時保留部１５では、ドラム２３の回転方向に応じて、各リールからの各テープの引出量が増加する傾向にあるか、或いは減少する傾向にあるか、といった引出量の増減傾向が変化することになる。
【００９５】
これを換言すれば、一時保留部１５では、ドラム２３の回転方向が、各リールからの各テープの引出量の増減傾向を表す指標となっている。
【００９６】
また一時保留部１５では、各リールからの各テープの引出量が増加すれば、やがて各検出点Ｐに終端部が到達し、この引出量が減少すれば、やがて各検出点Ｐに始端部が到達することになる。
【００９７】
すなわち一時保留部１５では、各リールからの各テープの引出量の増減傾向と始端部又は終端部のいずれであるかとの間に対応関係があり、またこの引出量の増減傾向とドラム２３の回転方向とにも対応関係があることになる。
【００９８】
そこで制御部２１は、図５に示すように、ドラム２３の回転方向と各テープの位置（すなわち始端部又は終端部のいずれであるか）との対応関係を表す対応テーブルＴＢＬ１を予めＲＯＭに記憶している。
【００９９】
制御部２１は、受光信号Ｓ１が「暗」レベルになったときにドラム２３の回転方向が巻付方向Ｒ１であれば、対応テーブルＴＢＬ１に従い、各検出点Ｐの少なくとも一方に終端部が到達したものと判別することができる。
【０１００】
また制御部２１は、受光信号Ｓ１が「暗」レベルになったときにドラム２３の回転方向が巻戻方向Ｒ２であれば、対応テーブルＴＢＬ１に従い、各検出点Ｐの少なくとも一方に始端部が到達したものと判別することができる。
【０１０１】
このように一時保留部１５の制御部２１は、受光信号Ｓ１が「暗」レベルになったとき、まず各検出点Ｐのうち少なくとも一方に始端部又は終端部が到達したと判断する。
【０１０２】
その上で制御部２１は、ドラム２３の回転方向を基に、対応テーブルＴＢＬ１に従って、各テープの走行方向、すなわち各リールからの各テープの引出量の増減傾向との対応関係を利用しながら、始端部又は終端部のいずれであるかを判別するようになされている。
【０１０３】
［１−４．動作及び効果］
以上の構成において、第１の実施の形態による一時保留部１５は、各テープ（すなわち外テープ３０及び内テープ４０）について、始端部及び終端部それぞれに遮光領域ＳＡを形成し、それ以外の中間部を透光領域ＳＴとした（図４）。
【０１０４】
また一時保留部１５の光検出部３５は、発光素子３６から発光した検出光Ｌ１を各検出点Ｐ（すなわち外テープ検出点３０Ｐ及び内テープ検出点４０Ｐ）において各テープとそれぞれ交差させた上で受光素子３７により受光し、その受光結果に応じた受光信号Ｓ１を生成する。
【０１０５】
そして一時保留部１５の制御部２１は、受光信号Ｓ１が「暗」レベルになったとき、各テープにおける引出量の増減傾向とドラム２３の回転方向との対応関係を利用する。すなわち制御部２１は、モータへ供給する制御信号から得られるドラム２３の回転方向を基に、対応テーブルＴＢＬ１（図５）を参照して、各テープが始端部又は終端部のいずれに到達したかを判別する。
【０１０６】
従って一時保留部１５は、例えば巻付処理中に、各テープの少なくとも一方の終端部が検出光Ｌ１と交差した時点で、その遮光領域ＳＡを光検出部３５により検出し、さらにこれが終端部であることを正しく判別することができる。
【０１０７】
また一時保留部１５は、巻戻処理の場合についても、各テープの少なくとも一方の始端部が検出光Ｌ１と交差した時点で、同様にその遮光領域ＳＡを光検出部３５により検出し、さらにこれが始端部であることを正しく判別することができる。
【０１０８】
これにより一時保留部１５は、ドラム２３の回転を適切なタイミングで停止させて巻付処理又は巻戻処理を中止することができるので、各テープに過大な張力を加えることによる破損や、これに伴い周囲の各部品を損傷させることを未然に防止することができる。
【０１０９】
ところで一時保留部１５では、従来の一時保留部の場合と同様に、例えば各テープのいずれか一方が絡まり、保守作業等によりその部分を切り詰めること、すなわち各テープの長さが互いに異なることがある。
【０１１０】
このような場合であっても、一時保留部１５では、切り詰めた方の（すなわち短い方の）テープにおける終端部が検出光Ｌ１と交差した時点で、その遮光領域ＳＡを光検出部３５により確実に検出することができるので、各部品の破損等を未然に防止できる。
【０１１１】
また光検出部３５は、検出光Ｌ１が各テープとそれぞれ交差するように、発光素子３６及び受光素子３７を配置した。
【０１１２】
これにより一時保留部１５は、各テープのどちらにおいて始端部及び終端部が各検出点Ｐに到達したとしても、その遮光領域ＳＡを一組の光検出部３５により確実に検出することができる。
【０１１３】
これを換言すれば、一時保留部１５では、ドラム２３の回転方向から判別できる各テープの走行方向を基に始端部又は終端部のいずれであるかを判別すれば良いため、遮光領域ＳＡの検出に関して始端部及び終端部を区別する必要が無く、また各テープのいずれであるかを区別する必要も無い。
【０１１４】
そこで一時保留部１５では、光検出部３５において検出光Ｌ１が各テープと順次交差するよう発光素子３６及び受光素子３７を１組のみ配置するだけで、外テープ３０の始端部若しくは終端部、又は内テープ４０の始端部若しくは終端部の遮光領域ＳＡのいずれであっても検出することができる。
【０１１５】
また、一時保留部１５の制御部２１は、ドラム２３の回転方向を判別する際にモータ（図示せず）の制御信号を用いるものの、従来の一時保留部においても生成していたものであり、別途センサや回路等を追加することなく利用できるため、部品の増加や構成の複雑化等を招くことがない。
【０１１６】
以上の構成によれば、一時保留部１５は、外テープ３０及び内テープ４０の始端部及び終端部それぞれに遮光領域ＳＡを形成し、光検出部３５により外テープ３０及び内テープ４０とそれぞれ交差した検出光Ｌ１の受光結果に応じた受光信号Ｓ１を生成する。そして制御部２１は、受光信号Ｓ１が「暗」レベルになったとき、ドラム２３の回転方向を基に、対応テーブルＴＢＬ１を参照して外テープ３０及び内テープ４０の少なくとも一方が始端部及び終端部のいずれに到達したかを判別した上で、巻付処理又は巻戻処理を中止することができる。これにより一時保留部１５は、外テープ３０及び内テープ４０に過大な張力を加えることによる破損や、これに伴い周囲の各部品を損傷させることを未然に防止することができる。
【０１１７】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点が相違するものの、他の部分については同様に構成されている。
【０１１８】
紙幣入出金機１１０（図２）は、第１の実施の形態による紙幣入出金機１０と比較して、一時保留部１５に代わる一時保留部１１５を有している点が相違するものの、他の部分については同様に構成されている。
【０１１９】
［２−１．一時保留部の構成］
図３（Ａ）及び（Ｂ）との対応部分に同一符号を付した図６（Ａ）及び（Ｂ）に示すように、第２の実施の形態による一時保留部１１５は、第１の実施の形態による一時保留部１５と比較して、制御部２１及び光検出部３５に代わる制御部１２１及び光検出部１３５を有する点と、テープ走行系１２７及び回転速度検出部１５０が追加された点とが大きく相違する。
【０１２０】
この第２の実施の形態では、フレーム２０に対し、ドラム２３における左右の中央よりも左寄りの箇所にテープ走行系２７が配置され、右寄りの箇所にテープ走行系１２７が配置されている。
【０１２１】
テープ走行系１２７は、テープ走行系２７と対応しており、外テープ３０、外リール３１、内テープ４０、内リール４１並びにローラ３３、３４、４３及び４４とそれぞれ対応する外テープ１３０、外リール１３１、内テープ１４０、内リール１４１並びにローラ１３３、１３４、１４３及び１４４により構成されている。
【０１２２】
また外リール１３１、内リール１４１並びにローラ１３３、１３４、１４３及び１４４は、回転軸３１Ｘ、４１Ｘ、３３Ｘ、３４Ｘ、４３Ｘ及び４４Ｘとそれぞれ対応する回転軸１３１Ｘ、１４１Ｘ、１３３Ｘ、１３４Ｘ、１４３Ｘ及び１４４Ｘを中心として、それぞれ回転し得るようになされている。
【０１２３】
外テープ１３０及び内テープ１４０は、外テープ３０及び内テープ４０（図４）と同様、いずれも始端部及び終端部にそれぞれ遮光領域ＳＡが形成されており、それ以外の中間部が透光領域ＳＴとなっている。
【０１２４】
外リール１３１に巻回された外テープ１３０は、外テープ３０と同様、その始端が当該外リール１３１の最外周から前方へ引き出され、プーリ１３３及び１３４を順次介して後方向へ折り返されるよう引き回されてから、ドラム２３の周側面に固定されている。
【０１２５】
また内リール１４１に巻回された内テープ１４０は、内テープ４０と同様、その始端が内リール１４１の最外周から前方へ引き出され、プーリ１４３を介して前斜め上方向へ向けられ、さらにプーリ１４４を介して後方向へ折り返され、外テープ１３０の真下を通るよう引き回されてから、ドラム２３の周側面に固定されている。
【０１２６】
かくして一時保留部１１５は、２組のテープ走行系２７及び１２７により、４本のテープ、すなわち外テープ３０及び１３０並びに内テープ４０及び１４０を用いて、紙幣をドラム２３の周側面に巻き付けるようになされている。
【０１２７】
制御部１２１は、第１の実施の形態による制御部２１と同様、図示しないＣＰＵ、ＲＡＭ、ＲＯＭやフラッシュメモリ等を有しており、各種プログラムを読み出して実行することにより、一時保留部１１５全体を統括的に制御するようになされている。
【０１２８】
光検出部１３５は、光検出部３５の発光素子３６及び受光素子３７とそれぞれ対応する発光素子１３６及び受光素子１３７に加えて、プリズム１３８を有している。
【０１２９】
発光素子１３６は、第１の実施の形態における発光素子３６と同様、外リール３１とプーリ３３との間における外リール３１の近傍であって外テープ３０よりも上側に配置されており、下方向へ向けて検出光Ｌ１を発光するようになされている。
【０１３０】
受光素子１３７は、発光素子１３６の右側、すなわち外リール１３１とプーリ１３３との間における外リール１３１の近傍であって外テープ１３０よりも上側に配置されており、下側から上方向へ向けて進行してくる検出光Ｌ１を受光するようになされている。
【０１３１】
プリズム１３８は、発光素子１３６のほぼ真下となる箇所と受光素子１３７のほぼ真下となる箇所とを結ぶよう、左右に細長い形状となっている。図７に模式図を示すように、プリズム１３８の内部には、発光素子１３６のほぼ真下となる箇所に反射面１３８Ａが形成されると共に、受光素子１３７のほぼ真下となる箇所に反射面１３８Ｂが形成されている。
【０１３２】
かかる構成により光検出部１３５は、発光素子１３６からほぼ真下へ向けて検出光Ｌ１を発光し、外テープ３０及び内テープ４０と順次交差させてから、プリズム１３８へ入射させる。以下、外テープ３０及び内テープ４０における検出光Ｌ１の光路と交差する箇所を、それぞれ外テープ検出点３０Ｐ及び内テープ検出点４０Ｐと呼ぶ。
【０１３３】
プリズム１３８は、入射された検出光Ｌ１を反射面１３８Ａにおいて反射させることにより進行方向を右向きに変化させ、さらに当該検出光Ｌ１を反射面１３８Ｂにおいて反射させることにより、受光素子１３７のほぼ真下において進行方向を上向きに変化させて出射する。
【０１３４】
その後光検出部１３５は、検出光Ｌ１を内テープ１４０及び外テープ１３０と順次交差させてから、受光素子１３７により受光させる。以下、内テープ１４０及び外テープ１３０における検出光Ｌ１の光路と交差する箇所を、それぞれ内テープ検出点１４０Ｐ及び外テープ検出点１３０Ｐと呼ぶ。
【０１３５】
また受光素子１３７は、第１の実施の形態と同様、受光信号Ｓ１を生成し、これを制御部１２１へ供給するようになされている。
【０１３６】
すなわち、発光素子１３６と受光素子１３７とを折れ線状に結ぶ検出光Ｌ１の光路上には、外テープ３０、内テープ４０、プリズム１３８、内テープ１４０及び外テープ１３０が配置されており、検出光Ｌ１を遮断するような他の部品等は配置されていない。
【０１３７】
このように光検出部１３５は、発光素子１３６から発光した検出光Ｌ１を、外テープ検出点３０Ｐ、内テープ検出点４０Ｐ、内テープ検出点１４０Ｐ及び外テープ検出点１３０Ｐにおいて外テープ３０、内テープ４０、内テープ１４０及び外テープ１３０とそれぞれ交差させ、受光素子１３７により受光して受光信号Ｓ１を生成するようになされている。
【０１３８】
［２−２．回転速度検出部の構成］
図６（Ａ）に示したように、回転速度検出部１５０は、ドラム２３の右側に設置されており、当該ドラム２３の回転軸２３Ｘに取り付けられた円板１５１を中心に構成されている。
【０１３９】
図８（Ａ）及び（Ｂ）に示すように、円板１５１は、左右に薄い円板状に形成されており、回転軸２３Ｘに対し中心軸を一致させるように取り付けられている。
【０１４０】
円板１５１の周側面には、外周方向へ向けて多数のスリット板１５２が立設されている。スリット板１５２は、円板１５１に対して小さく、且つ左右に薄い長方形の板状に形成されており、円板１５１の周方向に沿って互いに一定の間隔を空けるように、いわば歯車の歯のように配置されている。
【０１４１】
このため円板１５１及びスリット板１５２は、いずれも回転軸２３Ｘ及びドラム２３と一体に回転する。
【０１４２】
円板１５１の上側には、光検出部１５３が設けられている。光検出部１５３は、第１の実施の形態における光検出部３５と機能的に類似しており、検出光Ｌ２を発光する発光部１５３Ａ及び当該検出光Ｌ２を受光する受光部１５３Ｂを有している。
【０１４３】
光検出部１５３は、受光部１５３Ｂにおける検出光Ｌ２の受光量に応じた受光信号Ｓ２を生成し、これを制御部１２１（図６）へ供給するようになされている。
【０１４４】
また光検出部１５３は、スリット板１５２により検出光Ｌ２を遮断可能な箇所、すなわち円板１５１の最外周よりも僅かに外側を通過するように配置されている。
【０１４５】
このため検出光Ｌ２は、円板１５１及びスリット板１５２が回転している場合、スリット板１５２による遮断と、スリット板１５２同士の隙間の通過とを交互に繰り返すことになる。
【０１４６】
このとき光検出部１５３により生成される受光信号Ｓ２は、「暗」レベルと「明」レベルとを周期的に交互に切り換える矩形波となる。
【０１４７】
またこの受光信号Ｓ２における繰り返しの周期は、円板１５１及びスリット板１５２の回転速度、すなわちドラム２３の回転速度に応じて変化することになる。
【０１４８】
このため受光信号Ｓ２の周期Ｔは、図９（Ａ）及び（Ｂ）に示すように、ドラム２３の回転速度が比較的低い（遅い）ときには比較的長くなり、ドラム２３の回転速度が比較的高い（速い）ときには比較的短くなる。
【０１４９】
このように回転速度検出部１５０は、ドラム２３の回転速度に応じて周期を変化させる受光信号Ｓ２を生成し、これを制御部１２１へ供給するようになされている。これに応じて制御部１２１は、受光信号Ｓ２の周期Ｔの長さを基に、ドラム２３の回転速度を大まかに判別するようになされている。
【０１５０】
［２−３．始端部及び終端部の検出］
次に、一時保留部１１５による各テープ（すなわち外テープ３０及び１３０並びに内テープ４０及び１４０）の始端部又は終端部の検出について説明する。
【０１５１】
一時保留部１１５において受光信号Ｓ１が「明」レベルであれば、このことは、各検出点Ｐ（すなわち外テープ検出点３０Ｐ及び１３０Ｐ並びに内テープ検出点４０Ｐ及び１４０Ｐ）のいずれもが透過領域ＳＴであり、各テープの始端部及び終端部のいずれでもない中間部が位置していることを表す。
【０１５２】
一方、一時保留部１１５において受光信号Ｓ１が「暗」レベルであれば、このことは、各検出点Ｐの少なくとも１箇所に遮光領域ＳＡが位置しており、各テープの始端部又は終端部のいずれかが位置していることを表す。
【０１５３】
すなわち制御部１２１は、光検出部１３５から得られる受光信号Ｓ１の信号レベルを基に、各検出点Ｐにいずれも中間部が位置しているか、或いは各検出点Ｐの少なくとも１箇所に始端部若しくは終端部が位置しているかを判別することができる。
【０１５４】
ところで一時保留部１１５では、第１の実施の形態と同様に、ドラム２３に巻き付ける紙幣の間隔や搬送部１３に受け渡す紙幣の間隔をほぼ一定に保つべく、制御部１２１の制御により各テープの走行速度がほぼ一定に保たれる。
【０１５５】
すなわち一時保留部１１５では、図６に実線で示したように、各リール（すなわち外リール３１及び１３１並びに内リール４１及び１４１）からの各テープの引出量が少なく、ドラム２３の周側面における紙幣及び各テープの巻付量が少なく、当該ドラム２３の見かけ上の直径が小さい場合、当該ドラム２３の回転速度が比較的速くなる。
【０１５６】
一方、一時保留部１１５では、図６に破線で示したように、各リールからの各テープの引出量が多く、ドラム２３の周側面における紙幣及び各テープの巻付量が多く、当該ドラム２３の見かけ上の直径が大きい場合、当該ドラム２３の回転速度が比較的遅くなる。
【０１５７】
すなわち一時保留部１１５では、ドラム２３の回転速度が比較的速い場合には、各リールからの各テープの引出量が少なく、ドラム２３の回転速度が比較的遅い場合には、各リールからの各テープの引出量が多い、という関係が成立する。
【０１５８】
これを換言すれば、一時保留部１１５では、ドラム２３の回転速度が、各リールからの各テープの引出量を表す指標となっている。
【０１５９】
このため一時保留部１１５では、受光信号Ｓ１が「暗」レベルになったときにドラム２３の回転速度が比較的速ければ、各リールからの各テープの引出量が少ないため、各検出点Ｐのうち少なくとも１箇所に、始端部が位置していると考えられる。
【０１６０】
このとき回転速度検出部１５０から得られる速度信号Ｓ２は、図９（Ａ）に示したように、周期Ｔが比較的短くなる。
【０１６１】
また一時保留部１１５では、受光信号Ｓ１が「暗」レベルになったときにドラム２３の回転速度が比較的遅ければ、各リールからの各テープの引出量が多いため、各検出点Ｐのうち少なくとも１箇所に、終端部が位置していると考えられる。
【０１６２】
このとき回転速度検出部１５０から得られる速度信号Ｓ２は、図９（Ｂ）に示したように、周期Ｔが比較的長くなる。
【０１６３】
すなわち一時保留部１１５では、各リールからの各テープの引出量と始端部又は終端部のいずれであるかとの間に対応関係があり、また当該引出量とドラム２３の回転速度（すなわち周期Ｔの長さ）とにも対応関係があることになる。
【０１６４】
そこで制御部１２１は、ドラム２３の回転速度が最も速く、受光信号Ｓ２の周期Ｔが最も短くなるときの周期ＴＳ（図９（Ａ））とドラム２３の回転速度が最も遅く、受光信号Ｓ２の周期Ｔが最も長くなるときの周期ＴＬ（図９（Ｂ））との間に閾値ＴＴを定め、これをＲＯＭに予め記憶している。
【０１６５】
そして制御部１２１は、光検出部１５３から取得した受光信号Ｓ２の周期Ｔを閾値ＴＴと比較することにより、当該周期Ｔのおおよその長さを判別し、ドラム２３の回転速度が大まかに速いか遅いかを判別する。
【０１６６】
さらに制御部１２１は、図５と対応する図１０に示すように、受光信号Ｓ２の周期Ｔを閾値ＴＴと比較した結果、すなわち周期Ｔのおおよその長さと、各テープの位置（すなわち始端部又は終端部）との対応関係を表す対応テーブルＴＢＬ２を予めＲＯＭに記憶している。
【０１６７】
この対応テーブルＴＢＬ２は、受光信号Ｓ２の周期Ｔとドラム２３の回転速度との対応関係、ドラム２３の回転速度と各リールからの各テープの引出量との対応関係、及び各リールからの各テープの引出量と各テープの位置との対応関係を、互いに組み合わせて整理したものとなっている。
【０１６８】
制御部１２１は、受光信号Ｓ１が「暗」レベルになり、且つ受光信号Ｓ２の周期Ｔが閾値ＴＴよりも長い場合、すなわちドラム２３の回転速度が比較的遅く、各リールからの各テープの引出量が多い場合、対応テーブルＴＢＬ２に従い、各検出点Ｐの少なくとも１箇所に終端部が到達したものと判別する。
【０１６９】
また制御部１２１は、受光信号Ｓ１が「暗」レベルになり、且つ受光信号Ｓ２の周期Ｔが閾値ＴＴよりも短い場合、すなわちドラム２３の回転速度が比較的速く、各リールからの各テープの引出量が少ない場合、対応テーブルＴＢＬ２に従い、各検出点Ｐの少なくとも１箇所に始端部が到達したものと判別する。
【０１７０】
このように制御部１２１は、受光信号Ｓ１が「暗」レベルになったとき、受光信号Ｓ２における周期Ｔの長さを基に、対応テーブルＴＢＬ２に従って、ドラム２３の回転速度との対応関係、すなわち各リールからの各テープの引出量との対応関係を利用しながら、各検出点Ｐに始端部又は終端部のいずれが到達したかを判別するようになされている。
【０１７１】
［２−４．動作及び効果］
以上の構成において、第２の実施の形態による一時保留部１１５は、各テープ（すなわち外テープ３０及び１３０並びに内テープ４０及び１４０）について、第１の実施の形態（図４）と同様、始端部及び終端部それぞれに遮光領域ＳＡを形成し、それ以外の中間部を透光領域ＳＴとした。
【０１７２】
また一時保留部１１５の光検出部１３５は、発光素子１３６から発光した検出光Ｌ１をプリズム１３８により反射させながら、各検出点Ｐ（すなわち外テープ検出点３０Ｐ及び１３０Ｐ並びに内テープ検出点４０Ｐ及び１４０Ｐ）において各テープとそれぞれ交差させた上で受光素子１３７により受光し、その受光結果に応じた受光信号Ｓ１を生成する。
【０１７３】
そして一時保留部１１５の制御部１２１は、受光信号Ｓ１が「暗」レベルになったとき、各リールからの各テープの引出量とドラム２３の回転速度との対応関係を利用する。すなわち制御部１２１は、回転速度検出部１５０から得られる受光信号Ｓ２の周期Ｔを閾値ＴＴと比較し、対応テーブルＴＢＬ２（図１０）を参照して、各テープが始端部又は終端部のいずれに到達したかを判別する。
【０１７４】
従って一時保留部１１５は、例えば巻付処理中に、各テープの少なくとも１本の終端部が検出光Ｌ１と交差した時点で、その遮光領域ＳＡを光検出部１３５により検出し、さらにこれが終端部であることを正しく判別することができる。
【０１７５】
また一時保留部１１５は、巻戻処理通中についても、各テープの少なくとも１本の始端部が検出光Ｌ１と交差した時点で、同様にその遮光領域ＳＡを光検出部１３５により検出し、さらにこれが始端部であることを正しく判別することができる。
【０１７６】
これにより一時保留部１１５は、第１の実施の形態と同様、適切なタイミングでドラム２３の回転を停止させて巻付処理又は巻戻処理を中止することができるので、各テープに過大な張力を加えることによる破損や、これに伴い周囲の各部品を損傷させることを未然に防止することができる。
【０１７７】
また光検出部１３５は、各検出点Ｐ（すなわち外テープ検出点３０Ｐ及び１３０Ｐ並びに内テープ検出点４０Ｐ及び１４０Ｐ）が一直線上に配置されていないものの、プリズム１３８を用いて検出光Ｌ１を折れ線状に進行させることにより、その全てを順次通過させることができる。
【０１７８】
このため光検出部１３５は、各検出点Ｐに遮光領域ＳＡが到達しているか否かを、僅か１組の発光素子１３６及び受光素子１３７により確実に検出することができるので、２組以上の発光素子及び受光素子を用いる場合よりも部品点数や演算処理等を削減でき、構成を簡素化することができる。
【０１７９】
さらに制御部１２１は、ドラム２３の回転速度と各リールからの各テープの引出量との間に対応関係があることを利用しているため、検出信号Ｓ１が「暗」レベルになった際、速度信号Ｓ２の周期Ｔを閾値ＴＴと比較するだけで、始端部又は終端部のいずれであるかを精度良く判別することができる。
【０１８０】
その他の点についても、一時保留部１１５は、第１の実施の形態による一時保留部１５と同様の作用効果を奏し得る。
【０１８１】
以上の構成によれば、一時保留部１１５は、各テープ（外テープ３０及び１３０並びに内テープ４０及び１４０）の始端部及び終端部それぞれに遮光領域ＳＡを形成し、光検出部１３５により各テープとそれぞれ交差した検出光Ｌ１の受光結果に応じた受光信号Ｓ１を生成する。そして制御部１２１は、受光信号Ｓ１が「暗」レベルになったとき、速度信号Ｓ２の周期Ｔと閾値ＴＴとの比較結果を基に、対応テーブルＴＢＬ２を参照して各テープの少なくとも１本が始端部及び終端部のいずれに到達したかを判別した上で、巻付処理又は巻戻処理を中止することができる。これにより一時保留部１１５は、各テープに過大な張力を加えることによる破損や、これに伴い周囲の各部品を損傷させることを未然に防止することができる。
【０１８２】
［３．第３の実施の形態］
第３の実施の形態による現金自動預払機２０１（図１）は、第１の実施の形態による現金自動預払機１と比較して、紙幣入出金機１０に代わる紙幣入出金機２１０を有する点が相違するものの、他の部分については同様に構成されている。
【０１８３】
紙幣入出金機２１０（図２）は、第１の実施の形態による紙幣入出金機１０と比較して、一時保留部１５に代わる一時保留部２１５を有している点が相違するものの、他の部分については同様に構成されている。
【０１８４】
［３−１．一時保留部の構成］
図３（Ａ）及び（Ｂ）との対応部分に同一符号を付した図１１（Ａ）及び（Ｂ）に示すように、第３の実施の形態による一時保留部２１５は、第１の実施の形態による一時保留部１５と比較して、制御部２１及び光検出部３５に代わる制御部２２１並びに光検出部２３５及び２４５を有する点と、回転速度検出部２５０が追加された点とが大きく相違する。
【０１８５】
制御部２２１は、第１の実施の形態による制御部２１と同様、図示しないＣＰＵ、ＲＡＭ、ＲＯＭやフラッシュメモリ等を有しており、各種プログラムを読み出して実行することにより、一時保留部２１５全体を統括的に制御するようになされている。
【０１８６】
光検出部２３５は、従来の光検出部３３５（図１４）と同様に構成されており、外テープ３０の一面側へ向けて検出光Ｌ３を発光し、その反対面側で受光して受光信号Ｓ３を生成して、これを制御部２２１へ供給するようになされている。
【０１８７】
光検出部２４５は、従来の光検出部３４５（図１４）と同様に構成され、また光検出部２３５とも対応しており、内テープ４０の一面側へ向けて検出光Ｌ４を発光し、その反対面側で受光して受光信号Ｓ４を生成して、これを制御部２２１へ供給するようになされている。
【０１８８】
因みに外テープ３０及び内テープ４０は、いずれも第１の実施の形態と同様に、始端部及び終端部にそれぞれ遮光領域ＳＡが形成されている。しかしながら外テープ３０及び内テープ４０は、光検出部３３５及び光検出部３４５の取付位置と対応するべく、遮光領域ＳＡの始端又は終端からの長さが第１の実施の形態とは僅かに異なっている。
【０１８９】
このように一時保留部２１５では、第１の実施の形態による一時保留部１５とは異なり、光検出部２３５及び２４５により検出光Ｌ３及び検出光Ｌ４を外テープ３０及び内テープ４０へそれぞれ照射し、その受光結果を基に受光信号Ｓ３及びＳ４をそれぞれ生成するようになされている。
【０１９０】
［３−２．回転方向検出部の構成］
図１１（Ａ）に示したように、回転方向検出部２５０は、ドラム２３の右側に設置されており、ドラム２３の回転軸２３Ｘに取り付けられた円板２５１を中心に構成されている。
【０１９１】
また回転方向検出部２５０は、図８（Ａ）及び（Ｂ）とそれぞれ対応する図１２（Ａ）及び（Ｂ）に示すように、第２の実施の形態による回転速度検出部１５０と類似した構成となっている。
【０１９２】
円板２５１は、円板１５１と同様、左右に薄い円板状に形成されており、回転軸２３Ｘに対し中心軸を一致させるように取り付けられている。
【０１９３】
円板２５１の周側面には、外周方向へ向けて多数のスリット板２５２が立設されている。スリット板２５２は、スリット板１５２と同様、円板２５１に対して小さく、且つ左右に薄い長方形の板状に形成されており、円板２５１の周方向に沿って互いに一定の間隔を空けるように、いわば歯車の歯のように配置されている。
【０１９４】
このため円板２５１及びスリット板２５２は、円板１５１及びスリット板１５２と同様、回転軸２３Ｘ及びドラム２３と一体に回転する。
【０１９５】
さらにスリット板２５２には、左右方向に貫通する孔部２５２Ｈが穿設されている。この孔部２５２Ｈは、円板２５１の半径方向を長手方向とする長円状に形成されており、スリット板２５２が円板２５１の上側に位置したときの後側、いわば巻付方向Ｒ１側に偏って配置されている。
【０１９６】
円板２５１の上側には、光検出部１５３と同様の構成でなる光検出部２５３が設けられている。
【０１９７】
光検出部２５３は、発光部２５３Ａから検出光Ｌ５を発光し、これを受光部２５３Ｂにより受光する。さらに光検出部２５３は、検出光Ｌ５の受光量に応じた受光信号Ｓ５を生成し、これを制御部２２１（図１１）へ供給するようになされている。
【０１９８】
また光検出部２５３は、光検出部１５３と同様、スリット板２５２により検出光Ｌ５を遮断可能な箇所、すなわち円板２５１の最外周よりも僅かに外側を通過するように配置されている。
【０１９９】
このため円板２５１及びスリット板２５２が回転すると、検出光Ｌ５は、スリット板２５２により遮断される一方、互いに隣接するスリット板２５２同士の隙間を通過すると共に孔部２５２Ｈも通過することになる。
【０２００】
ここでスリット板２５２及びその周辺を拡大して図１３に示す。また図１３では、円板２５１及びスリット板２５２が回転する際に、検出光Ｌ５が照射される箇所を軌跡ＬＬとして示している。
【０２０１】
スリット板２５２は、図中の中央から右側に渡る比較的広い部分により検出光Ｌ５を遮断する長遮断領域ＣＬと、図中の左端近傍における比較的狭い部分により検出光Ｌ５を遮断する短遮断領域ＣＳとを形成している。
【０２０２】
またスリット板２５２は、孔部２５２Ｈにより、検出光Ｌ５を通過させる短通過領域ＳＳを形成している。さらにスリット板２５２同士の隙間は、検出光Ｌ５を通過させる長通過領域ＳＬが形成されている。
【０２０３】
この軌跡ＬＬを図の右から左へ辿った場合、長遮断領域ＣＬ、短通過領域ＳＳ、短遮断領域ＣＳ及び長通過領域ＳＬが順次出現することになる。またこの軌跡ＬＬを図の左から右へ辿った場合、その反対の順序により、長通過領域ＳＬ、短遮断領域ＣＳ、短通過領域ＳＳ、及び長遮断領域ＣＬが順次出現することになる。
【０２０４】
このため、光検出部２５３により生成される受光信号Ｓ５は、図９と対応する図１４（Ａ）及び（Ｂ）に示すように、ドラム２３の回転方向により異なる波形となる。
【０２０５】
ドラム２３が巻付方向Ｒ１へ回転している場合、受光信号Ｓ５には、図１４（Ａ）に示すように、長通過領域ＳＬによる比較的長い空白期間の後、短遮断領域ＣＳによる比較的短い短パルスＰＳが出現し、短通過領域ＳＳによる比較的短い空白期間の後に長遮断領域ＣＬによる比較的長い長パルスＰＬが出現する。
【０２０６】
一方、ドラム２３が巻戻方向Ｒ２へ回転している場合、受光信号Ｓ５には、図１４（Ｂ）に示すように、長通過領域ＳＬによる比較的長い空白期間の後、長遮断領域ＣＬによる長パルスＰＬが出現し、短通過領域ＳＳによる比較的短い空白期間の後に短遮断領域ＣＳによる短パルスＰＳが出現する。
【０２０７】
このように回転方向検出部２５０は、受光信号Ｓ５に短パルスＰＳ及び長パルスＰＬが連続して出現する際の出現順序を、ドラム２３の回転方向に応じて相違させるようになされている。
【０２０８】
［３−３．始端部及び終端部の検出］
次に、一時保留部２１５による各テープ（すなわち外テープ３０及び内テープ４０）の始端部又は終端部の検出について説明する。
【０２０９】
一時保留部２１５において受光信号Ｓ３及びＳ４の両方が「明」レベルであれば、このことは、各検出点Ｐ（すなわち外テープ検出点３０Ｐ及び内テープ検出点４０Ｐ）のいずれにも透過領域ＳＴが位置しており、各テープの始端部及び終端部のいずれでもない中間部が位置していることを表す。
【０２１０】
一方、一時保留部２１５において受光信号Ｓ３及びＳ４の少なくとも一方が「暗」レベルであれば、このことは、各検出点Ｐの少なくとも一方に遮光領域ＳＡが位置しており、各テープの始端部又は終端部のいずれかが位置していることを表す。
【０２１１】
すなわち制御部２２１は、光検出部２３５及び２４５から得られる受光信号Ｓ３及びＳ４の信号レベルを基に、各検出点Ｐにいずれも中間部が位置しているか、或いは各検出点Ｐの少なくとも一方に始端部若しくは終端部が位置しているかを判別することができる。
【０２１２】
ところで制御部２２１は、上述したように、受光信号Ｓ５に短パルスＰＳの次に連続して長パルスＰＬが出現した場合にはドラム２３の回転方向を巻付方向Ｒ１と判別し、受光信号Ｓ５に長パルスＰＬの次に連続して短パルスＰＳが出現した場合にはドラム２３の回転方向を巻戻方向Ｒ２と判別することができる。
【０２１３】
すなわち制御部２２１は、受光信号Ｓ５における短パルスＰＳ及び長パルスＰＬの出現順序からドラム２３の回転方向を判別できるため、各リール（すなわち外リール３１及び内リール４１）からの各テープの引出量の増減傾向を判別できることになる。
【０２１４】
また制御部２２１は、第１の実施の形態と同様に、各リールからの各テープの引出量の増減傾向とドラム２３の回転方向との対応を利用すれば、始端部又は終端部のいずれであるかを判別することもできる。
【０２１５】
そこで制御部２２１は、図５と対応する図１５に示すように、受光信号Ｓ５における短パルスＰＳ及び長パルスＰＬの出現順序と、ドラム２３の回転方向と、各テープの位置（すなわち始端部又は終端部のいずれであるか）とを、対応テーブルＴＢＬ３として予め記憶している。
【０２１６】
このため制御部２２１は、受光信号Ｓ３及びＳ４の少なくとも一方が「暗」レベルになったときに受光信号Ｓ５に短パルスＰＳの直後に長パルスＰＬが出現すれば、対応テーブルＴＢＬ３に従い、ドラム２３の回転方向が巻付方向Ｒ１であり、各検出点Ｐの少なくとも一方に終端部が到達したものと判別することができる。
【０２１７】
また制御部２２１は、受光信号Ｓ３及びＳ４の少なくとも一方が「暗」レベルになったときに受光信号Ｓ５に長パルスＰＬの直後に短パルスＰＳが出現すれば、対応テーブルＴＢＬ３に従い、ドラム２３の回転方向が巻戻方向Ｒ２であり、各検出点Ｐの少なくとも一方に始端部が到達したものと判別することができる。
【０２１８】
このように制御部２２１は、受光信号Ｓ３及びＳ４の少なくとも一方が「暗」レベルになったとき、まず各検出点Ｐのうち少なくとも一方に始端部又は終端部が到達したと判断する。
【０２１９】
その上で制御部２２１は、受光信号Ｓ５に出現する短パルスＰＳ及び長パルスＰＬの出現順序を基に、対応テーブルＴＢＬ３に従って、ドラム２３の回転方向、すなわち各テープにおける引出量の増減傾向との対応関係を利用しながら、始端部又は終端部のいずれであるかを判別するようになされている。
【０２２０】
［３−４．動作及び効果］
以上の構成において、第３の実施の形態による一時保留部２１５は、第１の実施の形態と同様、各テープ（外テープ３０及び内テープ４０）のそれぞれについて、始端部及び終端部それぞれに遮光領域ＳＡを形成し、それ以外の中間部を透光領域ＳＴとした（図４）。
【０２２１】
また一時保留部２１５の光検出部２３５及び２４５は、検出光Ｌ３及びＬ４を発光すると共に各テープとそれぞれ交差させた上で受光し、その受光結果に応じた受光信号Ｓ３及びＬ４を生成する。
【０２２２】
一時保留部２１５では、受光信号Ｓ５に出現する短パルスＰＳ及び長パルスＰＬの出現順序と、各テープにおける引出量の増減傾向と、ドラム２３の回転方向と、テープの位置（始端部又は終端部）とが互いに関係する。
【０２２３】
そこで一時保留部２１５の制御部２２１は、受光信号Ｓ３及びＳ４の少なくとも一方が「暗」レベルになったとき、この対応関係が表された対応テーブルＴＢＬ３を参照することにより、受光信号Ｓ５を基に、各テープが始端部又は終端部のいずれに到達したかを判別する。
【０２２４】
従って一時保留部２１５は、例えば巻付処理中に、各テープのいずれか一方の終端部が検出光Ｌ３又はＬ４と交差した時点で、その遮光領域ＳＡを光検出部２３５又は２４５により検出することができる。
【０２２５】
また一時保留部２１５は、巻戻処理の場合についても、各テープのいずれか一方の始端部が検出光Ｌ３又はＬ４と交差した時点で、同様にその遮光領域ＳＡを光検出部２３５又は２４５により検出することができる。
【０２２６】
これにより一時保留部２１５は、第１の実施の形態と同様、ドラム２３の回転を停止させて巻付処理又は巻戻処理を中止することができるので、各テープに過大な張力を加えることによる破損や、これに伴い周囲の各部品を損傷させることを未然に防止することができる。
【０２２７】
また一時保留部２１５では、回転方向検出部２５０から得られる受光信号Ｓ５を基にドラム２３の回転方向を判別する。このため一時保留部２１５では、例えば障害の発生等により、モータへ供給する制御信号と実際のドラム２３の回転方向との間に齟齬が生じたような場合であっても、現実のドラム２３の回転方向に基づいた受光信号Ｓ５を取得することができるので、当該ドラム２３の回転方向を高精度に判別することができる。
【０２２８】
さらに一時保留部２１５では、２個の光検出部２３５及び２４５を互いに独立して配置した。このため一時保留部２１５では、フレーム２０内で各部品により検出光を遮らないような配慮をする必要が無く、各部品の配置の自由度を高めることができる。
【０２２９】
その他の点についても、一時保留部２１５は、第１の実施の形態による一時保留部１５と同様の作用効果を奏し得る。
【０２３０】
以上の構成によれば、一時保留部２１５は、各テープ（外テープ３０及び内テープ４０）の始端部及び終端部それぞれに遮光領域ＳＡを形成し、光検出部２３５及び２４５により各テープとそれぞれ交差した検出光Ｌ３及びＬ４の受光結果に応じた受光信号Ｓ３及びＳ４を生成する。そして制御部２２１は、受光信号Ｓ３及びＳ４の少なくとも一方が「暗」レベルになったとき、回転方向検出部２５０から得られる受光信号Ｓ５を基にドラム２３の回転方向を判別し、その判別結果基に、対応テーブルＴＢＬ１を参照して各テープの少なくとも一方が始端部及び終端部のいずれに到達したかを判別した上で、巻付処理又は巻戻処理を中止することができる。これにより一時保留部２１５は、各テープに過大な張力を加えることによる破損や、これに伴い周囲の各部品を損傷させることを未然に防止することができる。
【０２３１】
［４．他の実施の形態］
なお上述した第１の実施の形態においては、外テープ３０及び内テープ４０の中間部を透光領域ＳＴとし、始端部及び終端部を遮光領域ＳＡとするようにした場合について述べた（図５）。
【０２３２】
しかしながら本発明はこれに限らず、例えば外テープ３０及び内テープ４０の中間部を遮光領域ＳＡとし、始端部及び終端部を遮光領域ＳＡとするようにしても良い。この場合、制御部２１では、受光信号Ｓ１が「暗」レベルから「明」レベルに変化した場合に、外テープ検出点３０Ｐ及び内テープ検出点４０Ｐの少なくとも一方に始端部又は終端部が到達したと判別すれば良い。要は、外テープ３０及び内テープ４０の中間部と始端部及び終端部との光透過率を相違させ、検出光Ｌ１の受光量を基に制御部２１によりその違いを判別することが出来れば良い。第２及び第３の実施の形態についても同様である。
【０２３３】
また上述した第１の実施の形態においては、ドラム２３を駆動するモータ（図示せず）への制御信号を基にドラム２３の回転方向を判別し、第３の実施の形態においては、回転方向検出部２５０から得られる受光信号Ｓ５における短パルスＰＳ及び長パルスＰＬの出現順序を基にドラム２３の回転方向を判別するようにした場合について述べた。
【０２３４】
しかしながら本発明はこれに限らず、例えば図示しないモータからドラム２３へ駆動力を伝達するギヤの回転方向に応じて異なる波形の信号を生成するようにし、この信号を基にドラム２３の回転方向を判別する等、種々の手法によりドラム２３の回転方向を判別するようにしても良い。
【０２３５】
さらに上述した第１及び第３の実施の形態においては、ドラム２３の回転方向と、各テープの走行方向と、各リールからの各テープの引出量の増減傾向との間の対応関係を利用し、ドラム２３の回転方向から始端部又は終端部のいずれであるかを判別するようにした場合について述べた。
【０２３６】
しかしながら本発明はこれに限らず、例えば外リール３１やローラ３３等、各テープの走行方向に応じてその回転方向を変化させる種々の部品における回転方向と、各リールからの各テープの引出量の増減傾向との間の対応関係を利用して、当該部品の回転方向から始端部又は終端部のいずれであるかを判別するようにしても良い。
【０２３７】
さらに上述した第２の実施の形態においては、回転速度検出部１５０の円板１５１を回転軸２３Ｘに取り付け、ドラム２３の回転速度と各リールからの各テープの引出量との対応関係を利用し、ドラム２３の回転速度から始端部又は終端部のいずれであるかを判別するようにした場合について述べた。
【０２３８】
しかしながら本発明はこれに限らず、例えば円板１５１を回転軸３１Ｘや４１Ｘ等に取り付け、外リール３１や内リール４１等、各リールからの各テープの引出量とその回転速度との間の対応関係を利用して、当該部品の回転速度から始端部又は終端部のいずれであるかを判別するようにしても良い。
【０２３９】
さらに上述した第１及び第３の実施の形態においては、ドラム２３の回転方向と各リールからの各テープの引出量の増減傾向との対応関係を利用し、第２の実施の形態においては、ドラム２３の回転速度と各リールからの各テープの引出量との対応関係を利用するようにした場合について述べた。
【０２４０】
しかしながら本発明はこれに限らず、例えば外リール３１に巻き付けられている外テープ３０の残量を検出するセンサやドラム２３の見かけ上の半径を検出するセンサを用いる等、各リールからの各テープの引出量に応じて変化する物理量を検出するようにしても良い。この場合、要は、各リールからの各テープの引出量と始端部又は終端部のいずれであるかとの間に対応関係があることを利用して、検出した物理量を基に始端部又は終端部のいずれであるかを判別することが出来れば良い。
【０２４１】
さらに上述した第１の実施の形態においては、一時保留部１５のフレーム２０内における発光素子３６から受光素子３７までの検出光Ｌ１の光路を直線状とするようにした場合について述べた。
【０２４２】
しかしながら本発明はこれに限らず、例えばミラーやプリズムを適宜配置することにより、検出光Ｌ１の光路を折れ線状としても良い。この場合、要は発光素子３６から発光された検出光Ｌ１が外テープ３０及び内テープ４０のみと交差し、他の部品等により遮断されることなく受光素子３７に到達できれば良い。第２の実施の形態についても、ミラーやプリズム等を適宜配置するようにしても良い。
【０２４３】
さらに上述した第１及び第３の実施の形態においては、テープ走行系２７の１組のみ、第２の実施の形態においては、テープ走行系２７及び１２７の２組を、それぞれ一時保留部に設けるようにした場合について述べた。
【０２４４】
しかしながら本発明はこれに限らず、３組以上のテープ走行系を一時保留部に設けるようにしても良い。
【０２４５】
さらに上述した第１の実施の形態においては、金融機関等において顧客との間で現金に関する取引を行う現金自動預払機１の一時保留部１５において、媒体としての紙幣を保留するようにした場合について述べた。
【０２４６】
しかしながら本発明はこれに限らず、例えば金融機関等において職員が現金に関する各種処理を行うための出納システムに組み込まれる一時保留部に適用するようにしても良く、或いは商品券や金券、入場券等のような紙葉状の媒体を保留する種々の装置に適用するようにしても良い。第２及び第３の実施の形態についても同様である。
【０２４７】
さらに上述した第１の実施の形態においては、ドラムとしてのドラム２３と、第１リール及び第２リールとしての内リール４１及び外リール３１と、第１テープとしての内テープ４０と、第２テープとしての外テープ３０と、相違部としての遮光領域ＳＡと、光検出部としての光検出部３５と、引出量検出部及び判別部としての制御部２１とによって媒体処理装置としての一時保留部１５を構成する場合について述べた。
【０２４８】
しかしながら本発明はこれに限らず、その他種々の構成でなるドラムと、第１リール及び第２リールと、第１テープと、第２テープと、相違部と、光検出部と、引出量検出部と、判別部とによって媒体処理装置を構成するようにしても良い。
【産業上の利用可能性】
【０２４９】
本発明は、紙幣等の紙状の媒体をテープと共にドラムに巻き付けて一時的に保留する種々の装置でも利用できる。
【符号の説明】
【０２５０】
１、１０１、２０１……現金自動預払機、１５、１１５、２１５……一時保留部、２１、１２１、２２１……制御部、２３……ドラム、２７、１２７……テープ走行系、３０、１３０……外テープ、３０Ｐ、１３０Ｐ……外テープ検出点、３１、１３１……外リール、３５、１３５、１５３、２３５、２４５、２５３……光検出部、３６、１３６……発光素子、３７、１３７……受光素子、４０、１４０……内テープ、４０Ｐ、１４０Ｐ……内テープ検出点、４１、１４１……内リール、１３８……プリズム、１５０……回転速度検出部、１５１、２５１……円板、１５２、２５２……スリット板、ＳＡ……遮光領域、ＳＴ……透過領域、Ｌ１、Ｌ２、Ｌ３、Ｌ４、Ｌ５……検出光、ＴＢＬ１、ＴＢＬ２、ＴＢＬ３……対応テーブル、Ｓ１、Ｓ２、Ｓ３、Ｓ４、Ｓ５……受光信号、Ｔ……周期、ＴＴ……閾値、ＰＳ……短パルス、ＰＬ……長パルス。
【図１】
2014021517.tif 000003
【図２】
2014021517.tif 000004
【図３】
2014021517.tif 000005
【図４】
2014021517.tif 000006
【図５】
2014021517.tif 000007
【図６】
2014021517.tif 000008
【図７】
2014021517.tif 000009
【図８】
2014021517.tif 000010
【図９】
2014021517.tif 000011
【図１０】
2014021517.tif 000012
【図１１】
2014021517.tif 000013
【図１２】
2014021517.tif 000014
【図１３】
2014021517.tif 000015
【図１４】
2014021517.tif 000016
【図１５】
2014021517.tif 000017
【図１６】
2014021517.tif 000018
【図１７】
2014021517.tif 000019